(57)【要約】      （修正有）【課題】イベント会場等の販売スペースが限られた場所で、印画物を効率良く販売する印画物販売システム及び印画物販売方法を提供する。【解決手段】印画物販売システムにおいて、管理装置５は撮影画像の画像データを記憶し、撮影画像を用いて投票画面を作成して複数のユーザ端末１へ送信し、複数のユーザ端末１から投票画面を介して入力された投票結果を受信して画像毎の得票数を算出する。プリンタ制御装置３は管理装置５から得票数が所定値以上である画像の画像データを受信し、画像データをプリンタ４へ転送してプリント出力させる。【選択図】図１
2019164481.tif 000002
【特許請求の範囲】
【請求項１】
撮影画像の画像データを記憶し、前記撮影画像を用いて投票画面を作成して複数のユーザ端末へ送信し、前記複数のユーザ端末から前記投票画面を介して入力された投票結果を受信して画像毎の得票数を算出する管理装置と、
前記管理装置から前記得票数が所定値以上である画像の画像データを受信し、前記画像データをプリンタへ転送してプリント出力させるプリンタ制御装置と、
を備える印画物販売システム。
【請求項２】
前記管理装置は、得票数が第１所定値以上第２所定値未満である第１画像の画像データを前記プリンタ制御装置へ送信し、得票数が前記第２所定値以上である第２画像の画像データ及びプリント枚数を前記プリンタ制御装置へ送信し、
前記プリンタ制御装置は、前記第２画像の画像データの受信に伴い、この画像データをプリンタへ転送し、前記プリント枚数分のプリント出力を実行させることを特徴とする請求項１に記載の印画物販売システム。
【請求項３】
前記管理装置は、得票数が前記第１所定値未満である画像の画像データを、前記プリンタ制御装置からの要求に応じて、前記プリンタ制御装置へ送信することを特徴とする請求項２に記載の印画物販売システム。
【請求項４】
撮影画像の画像データを記憶する管理装置が、前記撮影画像を用いて投票画面を作成して複数のユーザ端末へ送信し、前記複数のユーザ端末から前記投票画面を介して入力された投票結果を受信して画像毎の得票数を算出する工程と、
プリンタを制御するプリンタ制御装置が、前記管理装置から前記得票数が所定値以上である画像の画像データを受信し、前記画像データを前記プリンタへ転送してプリント出力させる工程と、
を備える印画物販売方法。
【請求項５】
前記管理装置は、得票数が第１所定値以上第２所定値未満である第１画像の画像データを前記プリンタ制御装置へ送信し、得票数が前記第２所定値以上である第２画像の画像データ及びプリント枚数を前記プリンタ制御装置へ送信し、
前記プリンタ制御装置は、前記第２画像の画像データの受信に伴い、この画像データを前記プリンタへ転送し、前記プリント枚数分のプリント出力を実行させることを特徴とする請求項４に記載の印画物販売方法。
【請求項６】
前記管理装置は、得票数が前記第１所定値未満である画像の画像データを、前記プリンタ制御装置からの要求に応じて、前記プリンタ制御装置へ送信することを特徴とする請求項５に記載の印画物販売方法。
【発明の詳細な説明】
【技術分野】
【０００１】
本発明は、印画物販売システム及び印画物販売方法に関する。
【背景技術】
【０００２】
野球場やコンサート会場等のイベント会場においては、イベント出演者、すなわち野球選手やアーティストに関連する多数の商品が販売されている。例えば、写真、ポスター、フォトブック、キーホルダー、Ｔシャツ等が販売されている。
【０００３】
これらの商品を販売するスペースは限られており、購入希望者は商品を購入するために行列に長時間並ぶ必要があった。商品はイベント開始前やイベント中にも販売されており、購入希望者を多少分散しているが、イベント終了後に販売スペースを訪れる購入希望者が多い。
【０００４】
最近では、イベント中にプロカメラマンが撮影した写真をプリント出力し、当日販売するサービスが提供されている。このようなサービスを提供している場合、当日のイベント中の写真を購入するために、イベント終了後に販売スペースを訪れる購入希望者が特に多くなる。
【０００５】
販売スペースでは、販売している写真が、番号と共に壁に掲示されている。購入希望者は掲示された写真を見ながら、注文用紙の写真番号欄に購入枚数を記入し、記入後、購入待ちの行列に並ぶ。会計時に注文用紙をスタッフに渡すと、スタッフは、金額を計算し、顧客から現金を受け取り、釣り銭を支払う。会計後、スタッフは、番号別に写真が集積された集積棚のあるピッキングエリアへ行き、注文用紙を見ながら写真をピッキングし、商品袋に入れて、顧客へ渡していた。
【０００６】
写真のプリント待ち時間を減らすため、販売側で売れそうな写真を予測して予めプリント出力しておき、集積棚に入れていた。しかし、顧客が購入を希望する写真を予測することは困難であり、実際の需要よりも多くプリントした写真は無駄になっていた。また、予めプリントした写真の枚数が、実際の需要よりも少ない場合は、プリント待ち時間が生じていた。
【先行技術文献】
【特許文献】
【０００７】
【特許文献１】特開２００２−２３６７７１号公報
【発明の概要】
【発明が解決しようとする課題】
【０００８】
本発明は、上記従来の実状に鑑みてなされたものであり、印画物を効率良く販売できる印画物販売システム及び印画物販売方法を提供することを課題とする。
【課題を解決するための手段】
【０００９】
本発明による印画物販売システムは、撮影画像の画像データを記憶し、前記撮影画像を用いて投票画面を作成して複数のユーザ端末へ送信し、前記複数のユーザ端末から前記投票画面を介して入力された投票結果を受信して画像毎の得票数を算出する管理装置と、前記管理装置から前記得票数が所定値以上である画像の画像データを受信し、前記画像データをプリンタへ転送してプリント出力させるプリンタ制御装置と、を備えるものである。
【００１０】
本発明の一態様による印画物販売システムにおいて、前記管理装置は、得票数が第１所定値以上第２所定値未満である第１画像の画像データを前記プリンタ制御装置へ送信し、得票数が前記第２所定値以上である第２画像の画像データ及びプリント枚数を前記プリンタ制御装置へ送信し、前記プリンタ制御装置は、前記第２画像の画像データの受信に伴い、この画像データをプリンタへ転送し、前記プリント枚数分のプリント出力を実行させる。
【００１１】
本発明の一態様による印画物販売システムにおいて、前記管理装置は、得票数が前記第１所定値未満である画像の画像データを、前記プリンタ制御装置からの要求に応じて、前記プリンタ制御装置へ送信する。
【００１２】
本発明による印画物販売方法は、撮影画像の画像データを記憶する管理装置が、前記撮影画像を用いて投票画面を作成して複数のユーザ端末へ送信し、前記複数のユーザ端末から前記投票画面を介して入力された投票結果を受信して画像毎の得票数を算出する工程と、プリンタを制御するプリンタ制御装置が、前記管理装置から前記得票数が所定値以上である画像の画像データを受信し、前記画像データを前記プリンタへ転送してプリント出力させる工程と、を備えるものである。
【００１３】
本発明の一態様による印画物販売方法において、前記管理装置は、得票数が第１所定値以上第２所定値未満である第１画像の画像データを前記プリンタ制御装置へ送信し、得票数が前記第２所定値以上である第２画像の画像データ及びプリント枚数を前記プリンタ制御装置へ送信し、前記プリンタ制御装置は、前記第２画像の画像データの受信に伴い、この画像データを前記プリンタへ転送し、前記プリント枚数分のプリント出力を実行させる。
【００１４】
本発明の一態様による印画物販売方法において、前記管理装置は、得票数が前記第１所定値未満である画像の画像データを、前記プリンタ制御装置からの要求に応じて、前記プリンタ制御装置へ送信する。
【発明の効果】
【００１５】
本発明によれば、印画物を効率良く販売できる。
【図面の簡単な説明】
【００１６】
【図１】本発明の実施形態に係る印画物販売システムの概略構成図である。
【図２】投票画面の例を示す図である。
【図３】得票数に応じた処理の例を示す図である。
【図４】ユーザ端末の機能ブロック図である。
【図５】管理装置の機能ブロック図である。
【図６】プリンタ制御装置の機能ブロック図である。
【図７】印画物販売方法を説明するフローチャートである。
【図８】投票画面の例を示す図である。
【発明を実施するための形態】
【００１７】
以下、本発明の実施の形態を図面に基づいて説明する。
【００１８】
図１は、本発明の実施形態に係る印画物販売システムの概略構成図である。印画物販売システムは、スポーツ施設やコンサート会場等のイベント会場において写真等の印画物を販売するためのシステムであり、販売している写真を顧客が確認し、購入したいと思う画像に投票するユーザ端末１、販売画像を管理し、顧客からの投票結果を受け取る管理装置５、印画物（写真）をプリント出力するプリンタ４、プリンタ４を制御するプリンタ制御装置３、電波を発信する発信機９等を備える。プリンタ４は、複数台設けられていることが好ましい。
【００１９】
スポーツの試合中の選手の写真や、コンサート中のミュージシャンの写真が、プロカメラマンのカメラ６で撮影される。カメラ６で撮影された画像は、管理装置５にアップロードされ、当日、販売されるようになっている。管理装置５にアップロードされた画像は、管理者端末７により販売の可否が設定できるようになっている。管理装置５は、販売する画像を用いて投票画面を作成する。
【００２０】
ユーザ端末１は、顧客が所有するスマートフォンやタブレット端末である。顧客は、客席等でユーザ端末１を使用し、管理装置５と通信を行い、投票画面を取得し、図２に示すようにタッチパネル１Ａ（操作表示部）に表示する。
【００２１】
上述したように、販売される画像には、当日イベント会場で撮影された画像が含まれている。このような画像は、イベント会場に来場している顧客のみが閲覧できることが好ましい。そのため、ユーザ端末１は、発信機９が発信している所定の電波を受信している場合のみ、投票画面を取得して表示することができるようになっている。
【００２２】
発信機９は、受信可能範囲がイベント会場内に制限されるような強度・位置で電波を発信している。発信機９には、例えば、Ｗｉ−Ｆｉ（登録商標）ルータ等の無線ＬＡＮ用通信機器や、ビーコン端末を用いることができる。発信機９が無線ＬＡＮ用通信機器である場合、ユーザ端末１がこの無線ＬＡＮ用通信機器を介して管理装置５と通信を行うことで、投票画面を取得することができる。
【００２３】
発信機９がビーコン端末である場合、このビーコン端末に設定されているＭＡＣアドレスや各種ビーコンＩＤ（ＵＵＩＤ、ＭＡＪＯＲ値、ＭＩＮＯＲ値）などが識別情報として送信される。ユーザ端末１は、ビーコン端末から受信した信号に含まれる識別情報を管理装置５に通知することで、管理装置５から投票画面を取得することができる。
【００２４】
顧客は、タッチパネル１Ａに表示された投票画面を操作し、購入したいと思う写真を選択し、チェックを入れる。全ての画像を確認し、投票を行った後、確定ボタンＢ１を押すと、ユーザ端末１は、投票結果を管理装置５へ送信する。例えば、顧客がチェックを入れた画像の識別番号が管理装置５に通知される。
【００２５】
管理装置５は、複数のユーザ端末１からの投票結果を集計する。管理装置５は、得票数の多い画像については、画像データをプリンタ制御装置３へ送信する。また、得票数の極めて多い画像については、所定枚数をプリント出力しておくように、プリンタ制御装置３に指示する。プリンタ４からプリント出力された写真は、販売スペースの集積棚に番号別に集積される。
【００２６】
例えば、図３に示すように、得票数が１０００以上５０００未満である識別番号００１の画像については、画像データをプリンタ制御装置３へ送信する。得票数が５０００以上１００００未満である識別番号００４の画像については、画像データをプリンタ制御装置３へ送信し、事前に１００枚プリント出力するように指示する。得票数が１００００以上である識別番号００２の画像については、画像データをプリンタ制御装置３へ送信し、事前に２００枚プリント出力するように指示する。得票数が１０００未満である識別番号００３の画像については、特に何も行わない。
【００２７】
顧客は、販売スペースへ行き、壁に掲示されている写真の番号と購入枚数を注文用紙に記入し、注文用紙をスタッフに渡して代金を支払う。写真の番号は、上述の投票画面内の番号と同じであるため、投票画面を見ながら注文用紙を記入してもよい。
【００２８】
会計後、スタッフは、番号別に写真が集積された集積棚のあるピッキングエリアへ行き、注文用紙を見ながら写真をピッキングし、商品袋に入れて、顧客へ渡す。集積棚に無い写真については、プリンタ４からプリント出力させる。
【００２９】
本実施形態では、得票数の多い画像のデータを予めプリンタ制御装置３に転送しているため、プリンタ４から速やかに出力することができる。また、得票数の特に多い画像については、予めプリント出力しておき集積棚に集積しているため、顧客を待たせることなく商品を渡すことができる。
【００３０】
得票数の少ない画像のデータについては、購入希望があった際にプリンタ制御装置３を操作して管理装置５からデータを取得し、プリンタ４から出力する。全ての画像データをプリンタ制御装置３に事前に転送する場合、多大な通信負荷がかかり、転送遅延が生じるおそれがある。そのため、本実施形態では、得票数が多い画像のデータのみ、事前にプリンタ制御装置３に転送しておく。
【００３１】
このように、本実施形態によれば、顧客からの投票数の多い人気のある画像を、販売スペースで購入される確率の高い写真とみなし、得票数の多い画像のデータをプリンタ制御装置３へ転送し、速やかにプリント出力できるようにしておく。また、得票数の極めて多い画像については、データをプリンタ制御装置３へ転送した上で、所定枚数をプリント出力しておく。これにより、プリント待ち時間を減らし、印画物を効率良く販売することができる。また、人気のある画像のみ予めプリント出力するため、不要なコストが生じることを防止できる。
【００３２】
販売画像を表示する投票画面は、イベント会場内でのみ受信できる所定の信号を受信している場合のみ、管理装置５から取得することができる。そのため、イベント会場にいない者による画像の閲覧を防止でき、イベント来場者のみの特典とすることができる。
【００３３】
次に、ユーザ端末１について説明する。ユーザ端末１は、表示部、操作部、無線通信機能等を備えた小型のコンピュータであり、例えばタッチパネルを搭載したスマートフォンやタブレット端末を用いることができる。
【００３４】
図４に示すように、ユーザ端末１は、ＲＯＭ（Read  Only  Memory）、ＲＡＭ（Random  Access  Memory）、不揮発性メモリ等を含む記憶部１０を有し、この記憶部１０には投票受付プログラムが格納されている。ユーザ端末１のＣＰＵ（Central  Processing  Unit）が投票受付プログラムを実行することで、図４に示すように、電波受信部１１、画面取得部１２、及び投票結果送信部１３が実現される。
【００３５】
電波受信部１１は、発信機９が発信している電波を受信する。
【００３６】
画面取得部１２は、電波受信部１１が受信した電波に含まれる識別情報等を管理装置５に通知し、管理装置５から投票画面を取得する。
【００３７】
投票結果送信部１３は、投票画面をタッチパネル１Ａに表示し、顧客から投票された（チェックを入れられた）画像の識別番号を管理装置５へ送信する。
【００３８】
次に、管理装置５について説明する。図５に示すように、管理装置５は、ＲＯＭ、ＲＡＭ、不揮発性メモリ又はハードディスク装置等を含む記憶部５０を有したコンピュータであり、記憶部５０には印画物販売プログラム、画像データ、投票結果等が格納されている。画像データは、販売している写真の画像データであり、当日のイベントの様子をカメラ６で撮影した画像を含む。
【００３９】
管理装置５のＣＰＵが印画物販売プログラムを実行することで、図５に示すように、画面作成部５１、画面送信部５２、投票結果受信部５３、集計部５４、及び画像送信部５５の機能が実現される。
【００４０】
画面作成部５１は、画像データを用いて投票画面を作成する。例えば、投票画面は、図２に示すように、画像表示領域と、各画像のチェックボックスを含む。
【００４１】
画面送信部５２は、画面作成部５１により作成された投票画面をユーザ端末１へ送信する。なお、画面送信部５２は、投票画面の送信にあたり、ユーザ端末１が所定の電波を受信しているか否かを確認する。画面送信部５２は、ユーザ端末１から、電波に含まれる識別情報等が通知されると、投票画面を送信する。
【００４２】
投票結果受信部５３は、ユーザ端末１から投票結果を受信し、記憶部５０に登録する。
【００４３】
集計部５４は、複数のユーザ端末１から受け付けた投票結果を集計し、画像毎の得票数を算出する。
【００４４】
画像送信部５５は、得票数の多い画像をプリンタ制御装置３へ送信する。また、画像送信部５５は、得票数が極めて多い画像について、画像データをプリンタ制御装置３へ送信すると共に、プリント出力枚数を指示する。
【００４５】
例えば、得票数ＸがＸ１≦Ｘ＜Ｘ２の画像は、画像データをプリンタ制御装置３へ送信する。得票数ＸがＸ２≦Ｘ＜Ｘ３の画像は、画像データをプリンタ制御装置３へ送信すると共に、Ｙ１枚プリント出力するように指示する。得票数ＸがＸ３≦Ｘの画像は、画像データをプリンタ制御装置３へ送信すると共に、Ｙ２枚（Ｙ２＞Ｙ１）プリント出力するように指示する。得票数ＸがＸ＜Ｘ１の画像は、プリンタ制御装置３から要求があった場合に画像データを送信する。
【００４６】
続いて、プリンタ制御装置３について説明する。図６に示すように、プリンタ制御装置３は、ＲＯＭ、ＲＡＭ、不揮発性メモリ又はハードディスク装置等を含む記憶部３０を有したタブレット端末、デスクトップ型パソコン、又はノート型パソコン等のコンピュータであり、記憶部３０には印画物作製プログラムが格納されている。
【００４７】
プリンタ制御装置３のＣＰＵが印画物作製プログラムを実行することで、図６に示すように、画像受信部３１及びプリント処理部３２が実現される。
【００４８】
画像受信部３１は、管理装置５から画像データを受信する。画像データは記憶部３０に格納される。
【００４９】
プリント処理部３２は、プリンタ４へ画像データを転送し、管理装置５から指示されたプリント出力枚数のプリント処理を実行させる。プリンタ４は、インクジェット方式や熱転写方式の高解像度のカラープリンタである。
【００５０】
次に、このような印画物販売システムを用いた印画物販売方法を図７に示すフローチャートを用いて説明する。
【００５１】
顧客が所有するスマートフォンやタブレット端末であるユーザ端末１が発信機９からの電波を受信した場合（ステップＳ１＿Ｙｅｓ）、ユーザ端末１が管理装置５から投票画面を取得し、表示する（ステップＳ２）。
【００５２】
顧客は投票画面を操作し、気に入った画像を選択し、チェックボックスにチェックを入れる（ステップＳ３）。画像を選択し、確定ボタンを押すと、ユーザ端末１が投票結果を管理装置５へ送信する。
【００５３】
管理装置５が、複数のユーザ端末１からの投票結果を集計する（ステップＳ４）。管理装置５は、得票数が所定値以上の画像をプリンタ制御装置３へ送信する（ステップＳ５）。また、管理装置５は得票数が特に多い画像は、プリンタ制御装置３に、事前プリント枚数を指示する。
【００５４】
プリンタ制御装置３が、管理装置５から受信した画像データを記憶部３０に格納する。また、プリンタ制御装置３は、管理装置５から指示された枚数分、事前にプリント出力するようにプリンタ４を制御する（ステップＳ６）。
【００５５】
顧客が販売スペースへ行き、注文用紙に写真番号及び購入枚数を記入し、料金を支払う。会計後、スタッフは写真をピッキングし、顧客へ渡す（ステップＳ７）。
【００５６】
このように、本実施形態によれば、ユーザ端末１を使用して、客席等で、販売されている画像の人気投票が行われる。得票数の多い画像は、販売スペースでの販売数の多い写真に対応するため、事前に画像データをプリンタ制御装置３へ送信し、プリント出力しておくことで、写真販売時の顧客の待ち時間を減らすことができる。また、予めプリント出力する画像は、得票数が一定数以上の極めて人気のある画像であるため、プリントした写真が無駄になることはなく、不要なコストが発生することを防止できる。
【００５７】
投票画面における画像の並び順を切り替えられるようにしてもよい。例えば、図８に示すように、画像の並び順を、識別番号順と人気順とに切り替えられるようにしてもよい。人気順が選択された場合、管理装置５は、その時点での得票数順に画像を配置して投票画面を作成する。
【００５８】
上記実施形態によれば、事前にどの写真に人気があるかわかるため、人気のある複数の写真を組み合わせたセット販売を行い、販売枚数を増加させることができる。
【００５９】
上記実施形態では、ユーザ端末１が発信機９からの信号を受信することで、顧客がイベント会場内にいると判定され、管理装置５からユーザ端末１へ投票画面が配信される例について説明したが、ユーザ端末１がＧＰＳ（Global  Positioning  System）位置情報を管理装置５に送信することで、投票画面を取得するようにしてもよい。あるいはまた、ユーザ端末１が、ユーザから入力されたパスワードを管理装置５へ送信することで、投票画面を取得するようにしてもよい。この場合、パスワードが記載されたチラシ等がイベント会場で配布される。
【００６０】
上記実施形態では、写真を販売する例について説明したが、ポスターやフォトブック等の印画物の販売にも適用できる。
【００６１】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６２】
１  ユーザ端末
３  プリンタ制御装置
４  プリンタ
５  管理装置
６  カメラ
７  管理者端末
９  発信機
【図１】
2019164481.tif 000003
【図２】
2019164481.tif 000004
【図３】
2019164481.tif 000005
【図４】
2019164481.tif 000006
【図５】
2019164481.tif 000007
【図６】
2019164481.tif 000008
【図７】
2019164481.tif 000009
【図８】
2019164481.tif 000010